(57)【要約】【課題】回転カム式繰出機構を備えた筆記具において、構成が簡単で部品点数が少なく、コンパクトにでき、長いリフィールも使用できるようにした筆記具を提供する。【解決手段】軸筒（３）の前部内面に外カム（９）を形成する。この外カム（９）に回転カム（１０）を挿入し、この回転カム（１０）にリフィール（１）を連結する。上記軸筒（３）の先端には、リフィール（１）の筆記先端（１９）が突出する通孔（４）を有する先具（５）が取り付けられている。この先具（５）の後端には、上記外カム（９）に対向するように回転カム（１０）に回転を与える案内カム（１７）が一体的に設けられている。上記リフィール（１）をノック操作すると上記回転カム（１０）を介して該リフィールは、筆記位置と収納位置に移動する。上記先具内には、筆記先端を気密的に保持するためのエアタイトスリーブを設けることができる。【選択図】        図１
2004167830.tif 000002
【特許請求の範囲】
【請求項１】
軸筒内に軸方向に移動可能にかつ回転可能に設けた回転カムと、該回転カムの軸方向への移動を規制しかつ回転カムを回転させる外カムと、上記回転カムが外カムから外れたとき該回転カムを回転させる案内カムを含む回転カム式繰出機構によりリフィールを筆記位置と収納位置に移動させるようにした筆記具において、上記外カムを軸筒の前部内面に形成し、該外カム内に回転カムを挿入し該回転カムにリフィールを取り付け、該軸筒に連結した先具の後端に上記回転カムの前方に位置するよう案内カムを一体的に形成したことを特徴とする筆記具。
【請求項２】
上記先具内には、上記リフィールの筆記先端を取り囲むよう蓋体を有するエアタイトスリーブが設けられ、該リフィールが筆記位置に移動するとき上記蓋体を開放し、該リフィールが収納位置に移動するとき該蓋体を閉鎖して上記筆記先端を気密的に保持するようにした請求項１に記載の筆記具。
【請求項３】
上記エアタイトスリーブは、上記リフィールが筆記位置に移動する際に前進位置に移動し、該リフィールが収納位置に移動する際後退位置に移動するよう軸方向に移動可能に設けられ、この移動に伴って蓋体を開閉するようにした請求項２に記載の筆記具。
【請求項４】
上記蓋体の背面に押圧リブを形成し、上記先具に上記エアタイトスリーブが後退位置に移動するとき上記蓋体を押圧するよう該押圧リブが摺動する摺動面を形成すると共に上記エアタイトスリーブが前進位置に移動するとき上記蓋体を嵌入するよう該押圧リブが篏入する窓孔を形成した請求項３に記載の筆記具。
【請求項５】
上記リフィールは首部を有し、上記回転カムには該首部に嵌着するよう連結部が設けられている請求項１に記載の筆記具。
【発明の詳細な説明】
【０００１】
【発明の属する技術分野】
本発明は、回転カム式繰出機構によりリフィールを筆記位置と収納位置に移動させるようにした筆記具に関する。
【０００２】
【従来の技術】
筆記具の回転カム式繰出機構は種々知られているが、基本的には、外カムと回転カムと案内カムを有し、回転カムは軸方向に移動可能にかつ回転可能に設けられ、外カムは該回転カムの軸方向への移動を規制すると共に該回転カムに回転を与え、また案内カムは上記回転カムが外カムから外れたときに該回転カムに回転を与える機能を有している。そして、通常、上記外カムを軸筒の後部内面に形成し、上記案内カムをカムバーやノックカムの前部に形成してその後部を軸筒の後端から突出し、該カムバー等をノック操作することにより上記回転カムを介して上記リフィールを筆記位置に前進させたり、収納位置に後退させたりできるように構成されている。
【０００３】
上記のように、従来の回転カム式繰出機構は、部品点数が多く、製造や組立が面倒であり、その上軸筒の後部に繰出機構が設けられているので、筆記具の全長が長くなり、コンパクトに形成しようとすると短い長さのリフィールしか用いることができず、長いリフィールを使用することができなかった。
【０００４】
全体をコンパクトにするため、外カムを有する筒状のカム本体を先具に取り付け、該カム本体内にカムバー、回転カム、ばね等を収納し、該先具を軸筒の先端に取り付け、該軸筒の側面に摺動可能に設けた操作部を上記カムバーに連結し、サイドノック式にリフィールを出没できるようにした筆記具も提案されている（例えば特許文献１参照）。しかし、そのような筆記具も従来のものと同じように部品点数が多く、経済的に得られない。
【０００５】
【特許文献】
実公平６−３２３９４号公報（実用新案登録請求の範囲、図面）
【０００６】
【発明が解決しようとする課題】
本発明の解決課題は、回転カム式繰出機構によりリフィールを出没させるようにした筆記具において、構成が簡単でコンパクトに形成でき、部品点数が少なく、経済的に得られ、また長いリフィールも使用することができる筆記具を提供することである。
【０００７】
さらに、本発明の解決課題は、上記の如き筆記具において、リフィールを収納した際に筆記先端を気密的に保持できるようにした筆記具を提供することである。
【０００８】
【課題を解決するための手段】
本発明によれば、軸筒内に軸方向に移動可能にかつ回転可能に設けた回転カムと、該回転カムの軸方向への移動を規制しかつ回転カムを回転させる外カムと、上記回転カムが外カムから外れたとき該回転カムを回転させる案内カムを含む回転カム式繰出機構によりリフィールを筆記位置と収納位置に移動させるようにした筆記具において、上記外カムを軸筒の前部内面に形成し、該外カム内に回転カムを挿入し該回転カムにリフィールを取り付け、該軸筒に連結した先具の後端に上記回転カムの前方に位置するよう案内カムを一体的に形成したことを特徴とする筆記具が提供され、上記課題が解決される。
【０００９】
また、本発明によれば、上記筆記具において、蓋体を有するエアタイトスリーブを先具内に設けて上記リフィールの筆記先端を取り囲み、該リフィールが筆記位置に移動するとき上記蓋体を開放し、該リフィールが収納位置に移動するとき上記蓋体を閉鎖して上記筆記先端を気密的に保持するようにした上記筆記具が提案され、上記課題が解決される。
【００１０】
【発明の実施の形態】
図１は本発明の一実施例を示し、各種のリフィール、例えばマーカー、水性インキペン、水性ボールペン、修正ペン、蛍光ベンその他の蒸発しやすい筆記成分を含むリフィール（１）を有する筆記具（２）が示されており、該リフィール（１）を収納した軸筒（３）の先端には、通孔（４）を有する先具（５）が連結されている。
【００１１】
図１、図２を参照し、上記軸筒（３）内には、段部（６）が形成され、該段部（６）とリフィール（１）の肩部（７）間にばね（８）を設けて、上記リフィール（１）を後方に付勢してあり、該段部（６）の前方には回転カム式繰出機構を構成する外カム（９）が形成されている。該外カム（９）は、公知のように、回転カム（１０）の軸方向の移動を規制するよう軸方向に延びる深さの深いカム溝（１１ａ）  と浅いカム溝（１１ｂ）  を交互に有し、前端に回転カム（１０）を回転するための山形状のカム面（１２）が形成され、上記軸筒（３）の前部内面に一体的に設けられているが、別体の略筒状体に形成して上記軸筒内に固定するようにしてもよい（図示略）。
【００１２】
上記回転カム（１０）は、上記軸筒内で軸方向に移動可能にかつ回転可能に設けられ、上記外カム（９）内に挿入できる外径を有する略円筒状に形成され、内面に上記リフィール（１）の首部（１３）に嵌合する連結部（１４）を有している。該回転カム（１０）の外周には、上記外カム（９）のカム溝（１１ａ），（１１ｂ）  に係合する突起（１５）が設けられ、該突起（１５）の後端には上記外カム（９）のカム面（１２）に係合する傾斜カム面（１６）が設けられている。また、該回転カム（１０）の前部には、案内カム（１７）に係合する前端カム面（１８）が設けられている。
【００１３】
上記回転カム（１０）の連結部（１４）は、リフィール（１）の筆記先端（１９）側から首部（１３）まで挿入できるよう弾性的に拡開可能に形成され、上記首部（１３）まで挿入したとき上記リフィール（１）に形成したフランジ（２０）に前端縁（２１）が係合し、内方肩部（２２）に基端縁（２３）が係合する。なお、該回転カム（１０）はリフィールに嵌合した状態で回転できるよう該リフィールに遊嵌しているが、該リフィールに固定的に設けたり、該リフィールと一体的に形成してもよい。
【００１４】
上記先具（５）の後端には、図４に示すように、上記回転カム（１０）の前方に位置するよう案内カム（１７）が一体的に形成されている。該案内カム（１７）は、上記回転カム（１０）の突起（１５）が外カムのカム溝（１１ａ），（１１ｂ）  から外れたとき、該回転カム（１０）の前端カム面（１８）が当って該回転カム（１０）を回転させるよう山形状のカム面（２４）を有している。該カム面（２４）は、回転カム（１０）を所定角度づつ回転させるよう上記外カム（９）のカム面（１２）に対向する部位に固定的に位置していることが必要である。そのため、図においては、軸筒内に形成した環状の係止突起（２５）に係合するよう係合凹部（２６）を先具（５）の外周に形成し、また軸筒に形成した軸方向の係止孔（２７）に係合する突起（２８）を有し、それぞれを係合させて回り止め状態で軸筒（３）に連結してあるが、圧入、接着、係止ピンその他適宜の連結構造により位置決めした状態で連結することもできる。
【００１５】
上記構成により、収納位置で軸筒（３）の後端から突出しているリフィール（１）を直接若しくは該リフィールの後部に取り付けた適宜の操作片（図示略）を介して前方にノックすると、回転カム（１０）の突起（１５）は外カム（９）の深いカム溝（１１ａ）  から外れ、上記案内カム（１７）に当って回転カムは回転され、ノックを止めると上記突起（１５）は外カム（９）の浅いカム溝（１１ｂ）  に係合し、リフィール（１）は筆記先端（１９）が通孔（４）から突出した筆記位置に保持される。その状態でリフィール（１）をノックすると、上記回転カム（１０）は上述のように回転し、ノックを止めると上記突起（１５）は外カム（９）の深いカム溝（１１ａ）  に係合し、リフィール（１）は収納位置に後退する。これらの基本的な動作は、公知の回転カム式繰出機構と同一である。
【００１６】
上記リフィールの筆記成分が蒸発性でないボールペンやシャープペンシルの場合は上記構成でよいが、蒸発性の場合には、上記先具（５）内にリフィールの筆記先端（１９）を取り囲むようエアタイトスリーブ（２９）を設けることが好ましい。該エアタイトスリーブ（２９）としては、前部に蓋体（３０）を有し、リフィール（１）が筆記位置に移動するとき該蓋体（３０）が開放され、収納位置に移動するとき該蓋体（３０）を閉鎖して上記筆記先端（１９）を気密的に保持するようにした適宜の構成を採用することができる。
【００１７】
上記エアタイトスリーブの上記蓋体を開閉する機構としては、適宜のばね部材等を設けて行うこともできるが（図示略）、図に示す実施例においては、上記リフィール（１）が筆記位置に移動する際上記エアタイトスリーブ（２９）が前進位置に移動し、上記リフィール（１）が収納位置に移動する際に後退位置に移動するようエアタイトスリーブ（２９）を前後動可能に設け、この移動に伴って上記蓋体（３０）が開閉するようにしてある。
【００１８】
すなわち、図５、図６に示すように上記エアタイトスリーブ（２９）は、プラスチック材料で作られ、外面に設けた案内突起（３１）を先具（５）の案内溝（３２）に挿入した状態で前後動可能に設けられており、内面には上記リフィール（１）に形成した係止部（３３）に係合可能な嵌合部（３４）を有している。該嵌合部（３４）は、上記リフィール（１）が収納位置にあるとき上記係止部（３３）に気密的に嵌合（係合）し（図７（Ａ））、それにより上記リフィール（１）が筆記位置に移動するとき該リフィールの移動に伴ってエアタイトスリーブ（２９）も移動するようにしてある。上記エアタイトスリーブ（２９）の後端には、先具（５）の肩部（３５）に当接するようストッパー（３６）を設けてあるので、図７（Ｂ）のように該肩部（３５）にストッパー（３６）が当る位置までエアタイトスリーブ（２９）が前進するとその位置に停止し、リフィールをさらに前進させると上記嵌合部（３４）と係止部（３３）の嵌合（係合）は外れ、エアタイトスリーブ（２９）は前進位置に保持される。
【００１９】
一方、上記蓋体（３０）は、スリーブの傾斜開口縁（３７）の基端に一体的なヒンジ（３８）で揺動可能に設けられており、背面には押圧リブ（３９）が形成され、先具（５）には該押圧リブ（３９）が摺動する摺動面（４０）と該押圧リブ（３９）が嵌入する窓孔（４１）が設けられている。上記エアタイトスリーブ（２９）が後退位置にあるとき、上記押圧リブ（３９）は上記摺動面（４０）に摺接して上記蓋体（３０）を上記傾斜開口縁（３７）に圧着して上記傾斜開口縁（３７）を閉じている（図７（Ａ））が、上述のようにエアタイトスリーブ（２９）が前進位置に移動したときは上記押圧リブ（３９）は上記窓孔（４１）に嵌入して蓋体（３０）は揺動し（図７（Ｃ））、上記傾斜開口縁（３７）を開放して上記リフィール（１）の筆記先端（１９）を先具（５）の通孔（４）から外方に突出させることができる（図８（Ａ））。そして、上述のように回転カム（１０）が回転し（図８（Ｂ））、リフィール（１）が筆記位置に保持されると、図８（Ｃ）に示すように筆記することができる。
【００２０】
リフィール（１）をノックして筆記位置から収納位置に後退させると、移動の途中で上記係止部（３３）が嵌合部（３４）に嵌合（係合）し（図７（Ｃ））、上記エアタイトスリーブ（２９）は該リフィール（１）の移動に伴って前進位置から後退位置に戻る。そのとき、上記押圧リブ（３９）は、上記窓孔（４１）から抜け出し、上記摺動面（４０）を摺動し（図７（Ｂ））、上記蓋体（３０）は該押圧リブ（３９）により上記傾斜開口縁（３７）に圧着され、上記筆記先端（１９）は気密的に保持される（図７（Ａ））。
【００２１】
【発明の効果】
本発明は上記のように構成され、回転カムに回転を与える案内カムを先具の後部に一体的に形成したから、回転カム式繰出機構を構成する部品点数を少なくでき、構成が簡単であり、また軸筒の前部に上記機構を組み込んだので、長いリフィールを用いても筆記具全体をコンパクトに形成できる。その上、先具内にエアタイトスリーブを組み込むことにより、蒸発性の筆記成分を含むリフィールであっても筆記先端が乾燥することなく、長く使用することができる。
【図面の簡単な説明】
【図１】本発明の一実施例を示す一部省略断面図。
【図２】軸筒の断面図。
【図３】回転カムを示し、（Ａ）は正面図、（Ｂ）は側面図、（Ｃ）は断面図。
【図４】先具を示し、（Ａ）は断面図、（Ｂ）は側面図。
【図５】エアタイトスリーブの斜視図。
【図６】一部の分解断面図。
【図７】（Ａ）〜（Ｃ）は動作を示す説明図。
【図８】（Ａ）〜（Ｃ）は図７に続く動作の説明図。
【符号の説明】
１…リフィール
３…軸筒
５…先具
９…外カム
１０…回転カム
１７…案内カム
１９…筆記先端
２９…エアタイトスリーブ
３０…蓋体
３７…傾斜開口縁
３９…押圧リブ
４１…窓孔
【図１】
2004167830.tif 000003
【図２】
2004167830.tif 000004
【図３】
2004167830.tif 000005
【図４】
2004167830.tif 000006
【図５】
2004167830.tif 000007
【図６】
2004167830.tif 000008
【図７】
2004167830.tif 000009
【図８】
2004167830.tif 000010
【手続補正書】
【提出日】平成15年4月24日(2003.4.24)
【手続補正１】
【補正対象書類名】明細書
【補正対象項目名】請求項４
【補正方法】変更
【補正の内容】
【請求項４】
上記蓋体の背面に押圧リブを形成し、上記先具に上記エアタイトスリーブが後退位置に移動するとき上記蓋体を押圧するよう該押圧リブが摺動する摺動面を形成すると共に上記エアタイトスリーブが前進位置に移動するとき上記蓋体を嵌入するよう該押圧リブが嵌入する窓孔を形成した請求項３に記載の筆記具。
【手続補正２】
【補正対象書類名】図面
【補正対象項目名】図２
【補正方法】変更
【補正の内容】
【図２】
2004167830.tif 000011